(57)【要約】知的コンテンツを通信するための方法であって、リモートサーバ（７）と、スクリーン（６）、入力デバイスおよび制御ユニット（３）を含むクライアントデバイス（２）とを準備するステップと、登録モジュール（１０２）を実行して登録データを収集するステップと、登録データ（１０２Ｃ）をリモートサーバ（７）に送信して登録データ（１０６Ａ）をリモートサーバ（７）に保存するステップと、アクセスモジュール（１０１）を実行してアクセスデータ（１０１Ａ）を収集するステップと、認証する（１０５）ステップと、広告モジュール（１０４）を実行してマルチメディアコンテンツ（１０４Ａ）を収集するステップと、前記マルチメディアコンテンツ（１０４Ｃ）をリモートサーバ（７）に送信してマルチメディアコンテンツ（１０６Ｂ）をリモートサーバ（７）に保存するステップと、掲示板モジュール（１０３）を実行するステップと、マルチメディアコンテンツ（１０３Ｂ）を掲示板モジュール（２０４）にロードするステップとを含み、登録モジュール（１０２）を実行するステップにおいて、制御ユニット（３）は検索ユーザの秘密保持（非開示）合意の承諾を強制的に収集し、広告モジュール（１０４）を実行するステップは、マルチメディアコンテンツ（１１）の履歴（１０４Ｄ）を生成するステップを含む。
2020530636.tif 000002
【特許請求の範囲】
【請求項１】
知的コンテンツを通信するための方法であって、
リモートサーバ（７）と、スクリーン（６）、入力デバイスおよび制御ユニット（３）を含むクライアントデバイス（２）とを準備するステップと、
前記制御ユニット（３）を介して登録モジュール（１０２）を実行し、検索ユーザまたは広告ユーザの登録データ（１０２Ａ）を収集するステップと、
インターネット接続を介して登録データ（１０２Ｃ）を前記クライアントデバイス（２）からリモートサーバ（７）に送信し、前記登録データ（１０６Ａ）を前記リモートサーバ（７）に保存するステップと、
前記制御ユニット（３）を介してアクセスモジュール（１０１）を実行し、検索ユーザまたは広告ユーザのアクセスデータ（１０１Ａ）を収集するステップと、
前記検索ユーザまたは前記広告ユーザの前記アクセスデータと前記登録データ（１０）との一致を検証することによりログイン（１０５）するステップと、
前記制御ユニット（３）を介して広告モジュール（１０４）を実行し、マルチメディアコンテンツ（１０４Ａ）を収集するステップと、
前記マルチメディアコンテンツ（１０４Ｃ）をインターネット接続を介して前記クライアントデバイス（２）からリモートサーバ（７）に送信し、前記マルチメディアコンテンツ（１０６Ｂ）を前記リモートサーバ（７）に保存するステップと、
前記制御ユニット（３）を介して掲示板モジュール（１０３）を実行するステップと、
前記マルチメディアコンテンツ（１０４Ｃ）をインターネット接続を介して前記リモートサーバ（７）から前記クライアントデバイス（２）に送信し、前記マルチメディアコンテンツ（１０３Ｂ）を前記掲示板モジュール（２０４）にロードするステップと、を含み、
前記登録モジュール（１０２）を実行する前記ステップにおいて、前記制御ユニット（３）は、前記掲示板モジュール（１０３）の実行中に前記検索ユーザにとって見ることができる前記マルチメディアコンテンツ（１１）に対してのみ、前記検索ユーザの秘密保持（非開示）合意の承諾を強制的に収集し、前記広告モジュール（１０４）を実行する前記ステップは、各マルチメディアコンテンツ（１１）の少なくとも１つの投稿日を含む前記マルチメディアコンテンツ（１１）の履歴（１０４Ｄ）を生成するステップと、前記マルチメディアコンテンツ（１１）の履歴（１１’）を前記リモートサーバ（７）に保存するステップとを含む、方法。
【請求項２】
前記掲示板モジュール（１０３）を実行する前記ステップは、前記制御ユニット（３）が、前記装置（１）の前記入力デバイスを介して前記検索ユーザによって入力可能な検索データ（１２）に応じて前記マルチメディアコンテンツ（１１）をフィルタリング（１０３Ａ）するステップを含む、請求項１に記載の方法。
【請求項３】
前記広告モジュール（１０４）を実行する前記ステップは、収集された前記マルチメディアコンテンツ（１１）が前記リモートサーバ（７）に既に保存されている前記マルチメディアコンテンツ（１１）と比較してオリジナルであることを検証するために、前記マルチメディアコンテンツ（１０４Ｂ）をチェックするステップを含む、請求項１または２に記載の方法。
【請求項４】
前記掲示板モジュール（１０３）を実行する前記ステップは、前記マルチメディアコンテンツ（１１）が部分的にのみロードされるプレビューモジュール（１０３Ｃ）を実行するステップを含む、請求項１から３のいずれか１項に記載の方法。
【請求項５】
前記制御ユニット（３）を介してアラートモジュール（１１０）を実行するステップを含み、前記制御ユニット（３）を介して前記アラートモジュール（１１０）を実行する前記ステップは、アラートデータ（１１０Ａ）を収集するステップ、前記アラートデータ（１３）に応じて通知（１１０Ｃ）をスケジューリングするステップ、および前記検索ユーザに前記通知（１１０Ｂ）を送信するステップを含む、請求項１から４のいずれか１項に記載の方法。
【請求項６】
通信モジュール（１０８）を実行するステップを含み、前記通信モジュール（１０８）を実行する前記ステップは、メッセージ（１０８Ａ）を収集するステップ、メッセージ（１０８Ｃ）を前記リモートサーバ（７Ｃ）に保存するステップ、およびメッセージ（１０８Ｂ）を前記通信モジュール（２０７）にロードするステップを含む、請求項１から５のいずれか１項に記載の方法。
【請求項７】
交渉モジュール（１０９）を実行するステップを含み、前記交渉モジュール（１０９）を実行する前記ステップは、交渉提案（１０９Ａ）を収集するステップ、前記リモートサーバ（７）に交渉提案（１０９Ｃ）を保存するステップ、および交渉提案（１０９Ｂ）を前記交渉モジュール（２０５）にロードするステップを含む、請求項１から６のいずれか１項に記載の方法。
【請求項８】
コンサルティングモジュール（１０７）を実行するステップを含み、前記コンサルティングモジュール（１０７）を実行する前記ステップは、コンサルティング要求（１０７Ａ）を収集するステップ、前記リモートサーバ（７）にコンサルティング要求（１０７Ｃ）を保存するステップ、およびコンサルティング要求（１０７Ｂ）を前記コンサルティングモジュール（２０６）にロードするステップを含む、請求項１から７のいずれか１項に記載の方法。
【請求項９】
知的コンテンツを通信するための装置（１）であって、
少なくとも２つのクライアントデバイス（２）であって、それぞれが、
コンピュータ命令を実行するようにプログラムされた制御ユニット（３）と、
前記知的コンテンツを表示するように構成されたスクリーン（６）と、
検索ユーザまたは広告ユーザが前記制御ユニット（３）と相互作用できるように構成された入力デバイス（４）と、を含むクライアントデバイス（２）と、
各クライアントデバイス（２）のための、対応するそれぞれのクライアントデバイス（２）にインターネット接続を提供するように構成されたモデム（５）と、
インターネット接続により各クライアントデバイス（２）に接続され且つデジタルコンテンツを保存するようにプログラムされたリモートサーバ（７）と、
各クライアントデバイス（２）のための、検索ユーザまたは広告ユーザのための登録モジュール（２０１）であって、対応するそれぞれのクライアントデバイス（２）の前記スクリーン（６）に表示可能であり且つ登録データ（１０）を収集するようにプログラムされた登録モジュール（２０１）と、
各クライアントデバイス（２）のための、検索ユーザまたは広告ユーザのためのアクセスモジュール（２０２）であって、対応するそれぞれのクライアントデバイス（２）の前記スクリーン（６）に表示可能であり且つアクセスデータを収集して、前記登録データ（１０）が前記検索ユーザまたは前記広告ユーザの前記アクセスデータと一致することを検証するようにプログラムされているアクセスモジュール（２０２）と、
各クライアントデバイス（２）のための広告モジュール（２０３）であって、対応するそれぞれのクライアントデバイス（２）の前記スクリーン（６）に表示可能であり且つ前記広告ユーザが入力できるマルチメディアコンテンツ（１１）を収集するようにプログラムされた広告モジュール（２０３）と、
各クライアントデバイス（２）のための掲示板モジュール（２０４）であって、対応するそれぞれのクライアントデバイス（２）の前記スクリーン（６）に表示可能であり且つ前記マルチメディアコンテンツ（１１）をロードし、前記検索ユーザによってそれを表示可能にさせるようにプログラムされた掲示板モジュール（２０４）と、を備え、
前記登録モジュール（２０１）は、前記掲示板モジュール（２０４）で前記検索ユーザにとって見ることができる前記マルチメディアコンテンツ（１１）のみに関して、前記検索ユーザの機密保持（非開示）合意の承諾を強制的に収集するようにプログラムされた承諾フィールド（８）を含み、前記広告モジュール（２０３）は日付フィールド（９）を含み、前記広告モジュール（２０３）は、前記マルチメディアコンテンツの少なくとも１つの投稿日を含む前記マルチメディアコンテンツ（１１）の履歴（１１’）を生成するようにプログラムされている、装置（１）。
【請求項１０】
各掲示板モジュール（２０４）は、検索データ（１２）に応じて前記マルチメディアコンテンツをフィルタリングするようにプログラムされた複数のフィルタ（２０４Ｃ）を含む、請求項９に記載の装置（１）。
【請求項１１】
各掲示板モジュール（２０４）は、対応するそれぞれのクライアントデバイス（２）の前記スクリーン（６）に表示可能であり且つ前記マルチメディアコンテンツを部分的にのみロードするようにプログラムされたプレビューモジュール（２０４Ａ）と、対応するそれぞれのクライアントデバイス（２）の前記スクリーン（６）に表示可能であり且つ前記マルチメディアコンテンツ（１１）全体をロードするようにプログラムされたディスクリプションモジュール（２０４Ｂ）とを含む、請求項９または１０に記載の装置（１）。
【請求項１２】
各クライアントデバイス（２）のためのスピーカ（１７）およびアラートモジュール（２０８）を含み、前記アラートモジュール（２０８）は、対応するそれぞれのクライアントデバイス（２）の前記スクリーン（６）に表示可能であり且つアラートデータ（１３）を収集して前記アラートデータ（１３）に応じて通知音をスケジュールし、前記通知音を前記検索ユーザに送信するようにプログラムされている、請求項９から１１のいずれか１項に記載の装置（１）。
【請求項１３】
各クライアントデバイス（２）は、通知音を発するように構成されたスピーカ（１７）を備える、請求項９から１２のいずれか１項に記載の装置（１）。
【請求項１４】
各クライアントデバイス（２）のための通信モジュール（２０７）であって、対応するそれぞれのクライアントデバイス（２）の前記スクリーン（６）に表示可能であり且つ検索ユーザまたは広告ユーザのメッセージ（１４）を収集またはロードするようにプログラムされた通信モジュール（２０７）を含む、請求項９から１３のいずれか１項に記載の装置（１）。
【請求項１５】
各クライアントデバイス（２）のための交渉モジュール（２０５）であって、対応するそれぞれのクライアントデバイス（２）の前記スクリーン（６）に表示可能であり且つ検索ユーザからの交渉提案（１６）を収集して広告ユーザへの表示のために前記交渉提案（１６）をロードするようにプログラムされた交渉モジュール（２０５）を含む、請求項９から１４のいずれか１項に記載の装置（１）。
【請求項１６】
各クライアントデバイス（２）のためのコンサルティングモジュール（２０６）であって、対応するそれぞれのクライアントデバイス（２）の前記スクリーン（６）に表示可能であり且つコンサルティング要求（１５）を収集してコンサルティングユーザに表示するために前記コンサルティング要求（１５）をロードするようにプログラムされたコンサルティングモジュール（２０６）を含む、請求項９から１５のいずれか１項に記載の装置（１）。
【発明の詳細な説明】
【技術分野】
【０００１】
本発明は、知的コンテンツを通信するための装置および知的コンテンツを通信するための方法に関する。
【背景技術】
【０００２】
本開示が扱う技術分野で知られているのは、知的コンテンツを共有するための装置である。これらの装置は複数のクライアントデバイスを含み、当該複数のクライアントデバイスを介してユーザは知的コンテンツを見ることができる。知的コンテンツを通信するための装置は、知的コンテンツが保存されることになる、インターネットに接続されたリモートサーバも含む。したがって、ユーザは、一方では、リモートサーバに知的コンテンツを保存して他のクライアントデバイスにダウンロードできるようにすることで知的コンテンツを共有し、他方では、他のクライアントデバイスを操作する他のユーザによって共有された知的コンテンツを表示することができる。特定の知的コンテンツの重要性と独自性により、商業的に魅力的な知的コンテンツを所有するユーザが、共有されたものの機密性を失わずにまたは他のユーザにより使用される知的コンテンツを正当な補償なしで許可せずに、当該知的コンテンツを共有して潜在的なバイヤーの関心を喚起する方法について問題が生じる。言い換えれば、知的コンテンツの通信のための現在の装置は、これが一般公開を構成することなく知的コンテンツを共有することを許可せず、とりわけ知的コンテンツの所有者にその知的コンテンツを使用する経済的権利を保証しない。さらに、コンテンツの知的財産を保護および実証するために、マルチメディアコンテンツが共有される時間の記録を保持することが不可欠である。マルチメディアコンテンツを通信するための現在のシステムは、マルチメディアコンテンツを投稿する認証日を提供せず、そのため、各知的コンテンツの所有権に関して混乱する可能性がある。
【発明の概要】
【０００３】
本開示は、従来技術の上述の欠点を克服するための、知的コンテンツを通信するための方法および装置を提供することを目的とする。
【０００４】
より具体的には、本開示の目的は、上記の欠点を克服する、知的コンテンツを通信するための方法および装置を提供することである。
【０００５】
この目的は、添付の特許請求の範囲で特徴付けられるように、知的コンテンツを通信するための本開示の方法および装置によって完全に達成される。
【０００６】
一実施形態では、知的コンテンツを通信するための方法は、クライアントデバイスを準備するステップを含む。一実施形態では、この方法は、リモートサーバを準備するステップを含む。クライアントデバイスは、デジタルコンテンツを処理できるコンピュータデバイスを意味する。例えば、コンピュータ、タブレット、スマートフォンなどであるが、これらに限定されるものではない。
【０００７】
一実施形態では、クライアントデバイスはスクリーンを含む。一実施形態では、クライアントデバイスは入力デバイスを含む。入力デバイスは、クライアントデバイスと相互作用してその動作を制御できるツールを意味する。例えば、プリンタ、マウス、トラックパッド、ジョイスティックなどであるが、これらに限定されるものではない。一実施形態では、クライアントデバイスは制御ユニットを含む。
【０００８】
一実施形態では、知的コンテンツは、（例えば、知的コンテンツの本質に応じて、著作権に従ってまたは秘密情報、特許、意匠またはモデル、商標に関する法令に従って）知的財産分野で保護できる製品、プロジェクト、または作品の表現である。
【０００９】
一実施形態では、知的コンテンツは、技術的または美的観点での革新的な本質の製品、プロジェクト、または作品の表現である。
【００１０】
一実施形態では、知的コンテンツは、工業所有権の法的タイトルである。
【００１１】
一実施形態では、工業所有権のタイトルは特許である。各特許は、書面によるテキストと当該テキストをサポートする複数の図面により、産業用途に利用できる発明を記載する。
【００１２】
一実施形態では、工業所有権のタイトルは工業デザインである。各工業デザインは、特定のデザインの全ての可能なビューを示す複数の図面によって説明される。
【００１３】
一実施形態では、工業所有権のタイトルは商標である。各商標は、商標の特徴、つまり、（名前、図形、またはその他の種類の）認識可能な記号を説明する。
【００１４】
一実施形態では、知的コンテンツは、まだそのようにタイトルが付けられていないが、潜在的に工業所有権の将来の法的タイトルを取得するための出願の主題とすることができる発明、意匠または商標である。この実施形態では、知的コンテンツは、プロトタイプの表現、技術報告書、概略図または構造図、またはソリューションの他の説明または描写によって表現され得る。
【００１５】
一実施形態では、知的コンテンツはビジネスプランである。この実施形態では、広告ユーザは、計画およびプログラミングプロジェクトなどのテキストドキュメント、および必要に応じてプロジェクト関連ビジネスモデルおよび市場調査レポートで知的コンテンツを説明してもよい。
【００１６】
一実施形態では、知的コンテンツは、芸術的価値のある創造性のある作品である。
【００１７】
一実施形態では、知的コンテンツは、例えば、企業合併提案、合弁事業の要求、または戦略的協力などの経済的な提案またはトランザクションであるが、これらに限定されない。
【００１８】
一実施形態では、この方法は、プラットフォームにロードされた１つまたは複数のドキュメントにデジタル署名を付すステップを含む。したがって、プラットフォームは、１つまたは複数のドキュメントにデジタル署名を付すように構成される。
【００１９】
一実施形態では、この方法は、プラットフォームにロードされたまたはプラットフォームによって処理された１つまたは複数のドキュメントにタイムスタンプを付すステップを含む。したがって、プラットフォームは、１つまたは複数のドキュメントに署名とタイムスタンプとを付すように構成される。
【００２０】
一実施形態では、この方法は、プラットフォームの１つ以上のコンテンツの使用を機密保持（非開示）合意の署名に従属させるステップを含み、これにより、１つ以上のプラットフォームコンテンツにアクセスする前に、（クライアントコンピュータ上のプラットフォームによって表示される１つ以上の条項の下で）機密にアクセスされることになるコンテンツを保持する必要がある。したがって、プラットフォームは、遠隔地からクライアントコンピュータに情報を表示するように構成されており、それにより、１つ以上のプラットフォームコンテンツへのアクセスを許可するために必要な条件としてユーザを機密保持契約の対象とする。これは、アイデア、プロジェクト、またはイノベーションを（機密保持契約なしに不特定多数の人々に情報を漏らすという意味において）その情報を開示することなく公開するショーケースを広告ユーザに提供する。
【００２１】
特に、機密保持合意により、独自のアイデアの特定の可視性を持つために、機密保持契約なしにコンテンツを不特定多数の人々に漏らさなければならない従来の解決策の欠点を解決することができる。
【００２２】
一実施形態では、この方法は、例えばビデオ会議またはウェビナーなどのリモートリンクを介してトレーニングコースを準備するステップも含む。
【００２３】
一実施形態では、この方法は、プラットフォームを介してドキュメントの翻訳を要求するステップと、要求された翻訳をリモートサービスによって生成および送信するステップも含む。
【００２４】
一実施形態では、プラットフォームは、プラットフォームユーザ間に保護されたリンクを確立して、データ交換し、音声通話を行い、またはビデオ会議を実施するように構成される。
【００２５】
一実施形態では、プラットフォームは、１つまたは複数の検索エンジンへのリンクを提供して、特に（ただし排他的ではない）ビジネスデータに関して情報を取り出す。
【００２６】
一実施形態では、この方法は、制御ユニットを介して登録モジュールを実行するステップを含む。以下、「実行」という用語は、コンピュータコードをクライアントデバイスのアクティビティに変換するための制御ユニットのアクティビティを示すために使用される。一方、「モジュール」という用語は、知的コンテンツを通信するための装置の他のコンポーネントで制御ユニットによって実行されるアクティビティに対応する特定のグラフィックス、ロジック、およびコードラインを含む装置の一部を示すために使用される。一実施形態では、この方法は、検索ユーザの登録データを収集するステップを含む。一実施形態では、この方法は、広告ユーザの登録データを収集するステップを含む。「検索ユーザ」は、他のユーザによって使用のために広告された知的コンテンツを検索するために装置を使用するユーザを意味する。「広告ユーザ」は、知的コンテンツの利用に興味がある他のユーザが見ることができるように、装置を使用して知的コンテンツを宣伝するユーザを意味する。
【００２７】
一実施形態では、この方法は、登録データを送信するステップを含む。登録データは、検索ユーザと広告ユーザの両方が装置の機能を使用する前に装置に提供しなければならないプライベートデータである。一実施形態では、送信は、インターネット接続を介したクライアントデバイスからリモートサーバへの送信である。一実施形態では、この方法は、登録データをリモートサーバに保存するステップを含む。
【００２８】
一実施形態では、登録のステップを完了する前に、検索ユーザまたは広告ユーザは、以下の情報項目の１つまたは複数を表示する。情報項目は、
装置の管理者のディスクリプションを含む、装置が各クライアントタイプに提供する可能性の概要ディスクリプション、
プロモーションビデオ、
お問い合わせフォーム、および
関係する装置に関する有益なブログである。
【００２９】
一実施形態では、この方法は、制御ユニットを介してアクセスモジュールを実行するステップを含む。一実施形態では、この方法は、検索ユーザまたは広告ユーザのアクセスデータを収集するステップを含む。
【００３０】
一実施形態では、アクセスデータは、リモートサーバに保存された登録データと少なくとも部分的に同一である。
【００３１】
一実施形態では、この方法は、検索ユーザまたは広告ユーザの登録データとアクセスデータとの間の一致をチェックするために、制御ユニットを介して実施される認証ステップを含む。
【００３２】
一実施形態では、この方法は、制御ユニットを介して広告モジュールを実行するステップを含む。一実施形態では、この方法は、マルチメディアコンテンツを収集するステップを含む。マルチメディアコンテンツは、制御ユニットによって適切に変換されたときに、検索ユーザまたは広告ユーザに特定の知的コンテンツの本質に関する情報を送信できるコンピュータデータのセットを意味する。特定の知的コンテンツは、例えば、写真、ビデオ、オーディオ、またはテキストファイルであるが、これらに限定されるものではない。
【００３３】
一実施形態では、マルチメディアコンテンツは、一意のエントリ詳細、例えば、広告主に関連する以下のデータ項目のうちの１つ以上であってもよい。すなわち、
名前、
姓、
ユーザ名、
生年月日、
パスワード、
個人的な画像、
納税者の詳細、
請求先住所、
電話番号、メールアドレス、ウェブサイトなどの連絡先の詳細、
銀行の詳細、
既定の言語、および
通知またはニュースレターの受信に対する同意である。
【００３４】
一実施形態では、マルチメディアコンテンツは、例えば以下に列挙するものの１つ以上の特定の知的コンテンツに対応する可変エントリデータであってもよい。すなわち、
ページ、
記事、
製品、
画像、
ビデオ、
テキストファイル、
コンピュータストリングの形式でのプロジェクトに関する一般的な内容、および
経済またはコンサルティングの提案に関連するカスタムフィールドである。
【００３５】
一実施形態では、この方法は、インターネット接続を介してクライアントデバイスからリモートサーバにマルチメディアコンテンツを送信するステップを含む。一実施形態では、この方法は、マルチメディアコンテンツをリモートサーバに保存するステップを含む。
【００３６】
一実施形態では、この方法は、制御ユニットを介して掲示板モジュールを実行するステップを含む。一実施形態では、この方法は、インターネット接続を介してリモートサーバからクライアントデバイスにマルチメディアコンテンツを送信するステップを含む。一実施形態では、この方法は、マルチメディアコンテンツを掲示板モジュールにロードするステップを含む。
【００３７】
一実施形態では、この方法は、掲示板を作成するステップを含む。掲示板を作成するステップでは、ユーザが知的コンテンツを共有するために使用できる全てのツールが作成される。
【００３８】
一実施形態では、この方法は、掲示板のカスタマイズのステップを含む。掲示板のカスタマイズのステップでは、ユーザは掲示板に挿入したコンテンツを変更して更新できる。掲示板のカスタマイズのステップでは、掲示板モジュールによって、掲示板のテキストを編集したり、知的コンテンツの概要を編集したり、掲示板名を変更したり、ファイルや画像をアップロードしたり、プロファイル画像を編集したり、掲示板モジュールのタイトルの代表画像を編集したり、掲示板の使用目的を変更したりできる。
【００３９】
一実施形態では、この方法は、掲示板モジュールを共有するステップを含む。掲示板モジュールを共有するこのようなステップでは、複数のユーザは、リモートコンピュータデバイスから掲示板モジュールにアクセスして、そのコンテンツを編集することができる。これにより、ワーキンググループは地理的に異なる場所から掲示板モジュールのコンテンツに介入できるため、したがって、様々なユーザ間の協力が促進される。
【００４０】
この方法の一実施形態では、掲示板モジュールで以下のステップを実行することができる。すなわち、
標準的な販売合意であって、掲示板が関連付けられている登録ユーザと、掲示板に表示されるコンテンツに関心のあるまたは合意に関する特定のアドバイスの要求に関心のあるバイヤーとの間の標準販売合意の生成のステップ、
掲示板が関連付けられている登録ユーザと、掲示板モジュールに表示されるコンテンツに関心のあるまたは特定の法的助言の要求に関心のあるバイヤーとの間の機密保持（非開示）合意の生成と署名のステップ、
掲示板モジュールに表示される特定の知的コンテンツの所有権をさらに証明する公証人による提出の要求のステップ、および
知的財産に関する法令のコンサルティングのステップである。
【００４１】
本方法の一実施形態では、当該方法は、掲示板モジュールの公開のステップを含み、装置は、全ての登録および許可されたユーザに対して、ユーザに関連する特定の掲示板モジュールのコンテンツを見えるようにする。
【００４２】
一実施形態では、この方法は、プロフィールのカスタマイズのステップを含む。プロフィールのカスタマイズのステップでは、ユーザは、個人のプロフィールに関連するデータを変更できる。このデータは、装置を使用する他のユーザから見える。
【００４３】
一実施形態では、この方法は、掲示板モジュールに製品を挿入するステップを含む。このステップでは、ユーザは製品のデータを装置に送信し、当該装置は製品データをリモートサーバに保存して読み出し、販売に関心のある他のユーザの掲示板モジュールに表示する。一実施形態において、製品データは、以下の情報のうちの１つ以上を含んでもよい。すなわち、
製品開発に必要な予算、
予算の回収期限、
製品の特徴、つまり、属性、権利の種類、出願日、出願番号、特許付与日、特許の種類、特許の地域的な範囲、および
費用である。
【００４４】
一実施形態では、この方法は、変更の認証のステップを含む。変更の認証のステップ中に、装置はユーザからタイムスタンプの要求を受け取る。変更の認証のステップにおいて、装置は、掲示板に挿入されたコンテンツを含む編集不可能な形式のファイルを生成する。このタイムスタンプは、コンテンツ共有の日時を含む。本方法の一実施形態では、変更の認証のステップ中に、装置は、掲示板を変更したユーザからデジタル署名を受け取る。
【００４５】
デジタル署名により、知的コンテンツの所有権を特定の人物にリンクさせ、知的コンテンツの不正流用を回避できる。
【００４６】
特に、一実施形態では、デジタル署名は、ウェブカメラによって実行される視覚認識である。
【００４７】
一実施形態では、この方法は購入ステップを含む。
【００４８】
購入ステップは、以下のステップの１つ以上を含んでもよい。すなわち、
掲示板モジュールから購入する製品または知的コンテンツの選択のステップ、
バイヤーの検証と認証のステップ、
配送先住所の入力のステップ、
販売条件および／またはプライバシー規則の承諾の要求のステップ、
オンライントランザクション（PayPal、Stripe）を実行するサテライトウェブサイトなど、当業者に知られている手法による支払いの実行のステップ、および
支払いの結果の表示のステップである。
【００４９】
一実施形態では、この方法はフィードバックステップを含む。フィードバックステップにおいて、装置は、特定の知的コンテンツに関してユーザが入力したフィードバックを記録し、それへのアクセスを有する全てのユーザが掲示板モジュール上でそれを見えるようにする。
【００５０】
一実施形態では、この方法は技術サポートのステップを含む。この技術サポートのステップでは、第１のコンピュータデバイスがユーザから質問書を受け取り、その質問書をリモートサーバに保存する。技術サポートのこのステップでは、サービスユーザに関連付けられ、他のユーザをサポートするように指定された第２のコンピュータデバイスがリモートサーバから質問を取り出し、第２のコンピュータデバイスのスクリーンに見えるようにする。技術サポートのこのステップでは、第２のコンピュータデバイスがサービスユーザから回答書を受け取り、そのような回答書をリモートサーバに保存する。技術サポートのこのようなステップでは、ユーザへの支援を完了するために、第１のコンピュータデバイスはリモートサーバによって回答書を取り出し、第１のコンピュータデバイスのスクリーンに見えるようにする。
【００５１】
マルチメディアコンテンツを読み込むとは、クライアントデバイスのスクリーンにマルチメディアコンテンツを表示することを意味する。
【００５２】
より具体的には、一実施形態では、登録モジュールを実行するステップ中に、制御ユニットは、検索ユーザの機密保持の強制的な承諾を収集する。より具体的には、一実施形態では、制御ユニットは、掲示板モジュールを実行するときに検索ユーザが見ることのできるマルチメディアコンテンツに関してのみ、検索ユーザの機密保持の強制的な承諾を収集する。これにより、一方で、必要に応じて将来の開示のために知的コンテンツの秘密を保持することができ、他方で、検索ユーザが、検索ユーザが秘密にすることに同意した知的コンテンツを漏らした場合に、検索ユーザに償還請求することがある知的コンテンツの所有者を保護する。
【００５３】
さらに、一実施形態では、広告モジュールを実行するステップは、マルチメディアコンテンツの履歴を生成するステップを含む。一実施形態では、マルチメディアコンテンツの履歴は、少なくとも、各マルチメディアコンテンツを投稿した日付を含む。一実施形態では、広告モジュールを実行するステップは、マルチメディアコンテンツをリモートサーバに保存するステップを含む。これは、マルチメディアコンテンツが初めて共有されたときにいつでも通知される。一実施形態において、マルチメディアコンテンツの履歴は、知的コンテンツが所定の日に投稿されたという法的証拠を提供する認証タイムスタンプを発行することにより作成される。一実施形態では、この方法は、装置上で検索ユーザまたは広告ユーザによって行われた任意のアクションの日付を認証するタイムスタンプを発行するステップを含む。任意のアクションとは、新しいマルチメディアコンテンツの投稿、知的コンテンツの販売、新しい登録、装置のリモートサーバからの削除、コンサルティング要求、およびユーザが本開示に記載された装置の特徴によって実行できるその他のアクションを意味する。
【００５４】
タイムスタンプは、知的コンテンツの公開日が認証されておらず、簡単に改ざんされる可能性がある従来技術の解決策の欠点を克服することを可能にする。
【００５５】
一実施形態では、認証後、ユーザが検索ユーザである場合、装置は、制御ユニットを介して、掲示板モジュールを実行するステップを自動的に実行する。
【００５６】
一実施形態では、認証後、ユーザが広告ユーザである場合、装置は、制御ユニットを介して、広告モジュールを実行するステップを自動的に実行する。
【００５７】
一実施形態では、この方法は、広告ユーザまたは検索ユーザと対話するために装置によって使用される語彙を翻訳するステップを含む。
【００５８】
一実施形態では、この方法は、ジオロケーションするステップを含む。このステップにより、検索ユーザまたは広告ユーザが実行した処理を地理的にトレースできる。
【００５９】
一実施形態では、この方法は、掲示板モジュールまたは広告モジュールへの迅速なアクセスを提供する特定のＵＲＬアドレスを介して実行される迅速な認証のステップを含む。
【００６０】
一実施形態では、掲示板モジュールを実行するステップは、フィルタリングするステップを含む。一実施形態では、フィルタリングのステップ中に、制御ユニットは、検索ユーザが装置の入力デバイスを使用して入力できる検索データに応じてマルチメディアコンテンツをフィルタリングする。ユーザは検索データを入力して、特定の種類の知的コンテンツのみを選択できる。これにより、ユーザが関心のある処理のための検索をより迅速にできる。
【００６１】
一実施形態では、広告モジュールを実行するステップは、マルチメディアコンテンツをチェックするステップを含む。一実施形態では、チェックするステップは、リモートサーバに既に保存されているマルチメディアコンテンツと比較して、収集されたマルチメディアコンテンツのオリジナリティを検証するステップである。一実施形態では、チェックするステップは、マルチメディアコンテンツの合法性を検証するステップである。これは、一方では、反復的な知的コンテンツの広告を防ぎ、他方では、グッドプラクティスに反して知的コンテンツの広告を防ぐ。
【００６２】
一実施形態では、掲示板モジュールを実行するステップは、プレビューモジュールを実行するステップを含む。一実施形態では、プレビューモジュールを実行するステップは、マルチメディアコンテンツを部分的にロードすることを含む。部分的にとは、マルチメディアコンテンツが知的コンテンツの複製を許可しない方法で表示されることを意味する。これにより、検索ユーザは、登録データにサブスクライブする前に、リモートサーバのコンテンツを部分的に評価できる。
【００６３】
一実施形態では、この方法は、アラートモジュールを実行するステップを含む。一実施形態では、アラートモジュールを実行するステップは、アラートデータを収集するステップを含む。一実施形態では、アラートモジュールを実行するステップは、アラートデータに応じた通知スケジューリングのステップを含む。一実施形態では、アラートモジュールを実行するステップは、検索ユーザに通知を送信するステップを含む。
【００６４】
これにより、検索ユーザは特定のアラートデータを設定でき、制御ユニットは、当該アラートデータを用いて、アラートデータに対応するマルチメディアコンテンツの新しいエントリをユーザに通知する通知を自動的にスケジュールする。
【００６５】
一実施形態では、この方法は、通信モジュールを実行するステップを含む。一実施形態では、このステップはメッセージを収集するステップを含む。一実施形態では、通信モジュールを実行するステップは、メッセージをリモートサーバに保存するステップを含む。一実施形態では、通信モジュールを実行するステップは、通信モジュールにメッセージをロードするステップを含む。
【００６６】
これにより、ユーザは、質問をしたり、通信された知的コンテンツに関する説明を提供したりして、相互に対話できる。
【００６７】
一実施形態では、この方法は、交渉モジュールを実行するステップを含む。一実施形態では、このステップは、交渉提案を収集するステップを含む。一実施形態では、交渉モジュールを実行するステップは、交渉提案をリモートサーバに保存するステップを含む。一実施形態では、交渉モジュールを実行するステップは、交渉モジュールに交渉提案をロードするステップを含む。これにより、広告ユーザは検索ユーザとの交渉を開始し、広告ユーザの知的コンテンツを装置から直接的に有効に活用することができる。
【００６８】
一実施形態では、交渉提案を収集するステップは、以下のデータ項目のうちの１つ以上を収集することを含む。すなわち、
ローンの金額、
交渉中のマルチメディアコンテンツに関する情報、
契約条件、
付加価値税、および
マルチメディアコンテンツの利用性である。
【００６９】
一実施形態では、交渉提案を収集するステップは、交渉を完了するステップを含む。
【００７０】
一実施形態では、交渉を完了するステップは、制御ユニットがデジタル請求書を自動的に生成し、特定の広告ユーザの広告モジュールに自動的に保存し、交渉が完了した検索ユーザに自動的に送信するステップを含む。
【００７１】
一実施形態では、交渉を完了するステップは、制御ユニットが知的コンテンツの仕様を自動的に変更するステップを含む。より具体的には、交渉を完了するステップは、交渉を完了した検索ユーザに知的コンテンツのタイトルを転送するステップを含む。一実施形態では、制御ユニットは、リモートサーバ上の情報を変更し、その結果、広告モジュールおよび掲示板モジュールに表示されるコンテンツを変更し、装置に登録されたユーザ間の二重販売を物理的に防止する。
【００７２】
交渉を完了するステップは、販売が完了したことを証明するタイムスタンプを発行するステップと、装置に登録されたユーザの閉じたサークル内にトランザクションを記録するステップを含む。
【００７３】
一実施形態では、この方法は、コンサルティングモジュールを実行するステップを含む。一実施形態では、コンサルティングモジュールを実行するステップは、コンサルティングの要求を収集するステップを含む。一実施形態では、コンサルティングモジュールを実行するステップは、リモートサーバへのコンサルティングの要求を保存するステップを含む。一実施形態では、コンサルティングモジュールを実行するステップは、コンサルティングモジュールにコンサルティングの要求をロードするステップを含む。これにより、検索ユーザと広告ユーザの両方が、有料または無料で、商業的、法的または技術的戦略を迅速かつ直接装置から提案できるコンサルティングユーザと連絡を取ることができる。
【００７４】
一実施形態では、この方法は、統計処理のステップを含む。統計処理のステップは、広告ユーザの特定の広告モジュールへの訪問を収集（カウント）するステップを含む。一実施形態では、統計処理のステップは、訪問を収集するステップからの表示データを処理し、広告ユーザによって投稿された特定のコンテンツの承諾統計を処理する。
【００７５】
本開示は、知的コンテンツを通信するための装置も提供する。一実施形態では、装置は少なくとも２つのクライアントデバイスを含む。クライアントデバイスは、デジタルコンテンツを処理できるコンピュータデバイスを意味する。例えば、コンピュータ、タブレット、スマートフォンなどであるが、これらに限定されるものではない。一実施形態では、各クライアントデバイスは制御ユニットを含む。一実施形態では、制御ユニットは、コンピュータ命令を実行するようにプログラムされている。一実施形態では、各クライアントデバイスは、知的コンテンツを表示可能にするように構成されたスクリーンを含む。一実施形態では、各クライアントデバイスは、検索ユーザまたは広告ユーザが制御ユニットと相互作用できるように構成された入力デバイスを備える。入力デバイスは、クライアントデバイスと相互作用してその動作を制御できるツールを意味する。例えば、プリンタ、マウス、トラックパッド、ジョイスティックなどであるが、これらに限定されるものではない。一実施形態では、装置は、各クライアントデバイスに対して、それぞれのクライアントデバイスにインターネット接続を提供するように構成されたモデムを含む。
【００７６】
一実施形態では、装置はリモートサーバを含む。一実施形態では、リモートサーバは、インターネット接続を介して各クライアントデバイスに接続されている。一実施形態では、リモートサーバはデジタルコンテンツを保存するように構成される。
【００７７】
マルチメディアコンテンツは、制御ユニットによって適切に変換されたときに、例えば、写真、ビデオ、オーディオまたはテキストファイルであるが、これらに限定されるものではない特定の知的コンテンツの性質に関する情報をユーザに送信できるコンピュータデータのセットを意味する。
【００７８】
一実施形態では、装置は、各クライアントデバイスについて、検索ユーザまたは広告ユーザの登録モジュールを含む。「モジュール」という用語は、一方では、知的コンテンツを通信するための装置の他のコンポーネントで制御ユニットによって実行されるアクティビティに対応する特定のグラフィックス、ロジック、およびコード行を含む装置の一部を示すために使用される。「検索ユーザ」は、他のユーザによって使用のために広告された知的コンテンツを検索するために装置を使用するユーザを意味する。「広告ユーザ」は、知的コンテンツの利用に興味がある他のユーザが見ることができるように、装置を使用して知的コンテンツを広告するユーザを意味する。一実施形態では、登録モジュールは、対応するそれぞれのクライアントデバイスのスクリーン上に表示可能である。一実施形態では、登録モジュールは、登録データを収集するように構成される。登録データは、検索ユーザと広告ユーザの両方が装置の機能を使用する前に装置に提供しなければならないプライベートデータである。
【００７９】
一実施形態では、装置は、各クライアントデバイスに対して、検索ユーザまたは広告ユーザのためのアクセスモジュールを含む。一実施形態では、アクセスモジュールは、対応するそれぞれのクライアントデバイスのスクリーン上に表示可能である。一実施形態では、登録モジュールは、アクセスデータを収集するように構成される。一実施形態では、アクセスモジュールは、検索ユーザまたは広告ユーザの登録データとアクセスデータとの間の一致をチェックするように構成される。
【００８０】
一実施形態では、装置は、各クライアントデバイス用の広告モジュールを含む。一実施形態では、広告モジュールは、対応するそれぞれのクライアントデバイスのスクリーン上に表示可能である。一実施形態では、広告モジュールは、広告ユーザが投稿できるマルチメディアコンテンツを収集するように構成される。広告モジュールは、一実施形態では、特定の広告ユーザによって投稿されたマルチメディアコンテンツのみを表示するように構成されたモジュールを意味する。一実施形態では、広告モジュールは、特定の広告ユーザが投稿したマルチメディアコンテンツのみを表示し、特定の広告ユーザが投稿したさらなるマルチメディアコンテンツを収集するように構成されたモジュールを意味する。
【００８１】
一実施形態では、装置は、各クライアントデバイス用の掲示板モジュールを含む。一実施形態では、掲示板モジュールは、対応するそれぞれのクライアントデバイスのスクリーン上に表示可能である。一実施形態では、掲示板モジュールは、マルチメディアコンテンツをロードし、それらを検索ユーザによって表示可能にさせるように構成される。
【００８２】
より具体的には、一実施形態では、登録モジュールは承諾フィールドを含む。一実施形態では、承諾フィールドは、検索ユーザの機密保持（非開示）合意の承諾を強制的に収集するようにプログラムされている。一実施形態では、機密保持（非開示）合意は、掲示板モジュール上で検索ユーザが見ることができるマルチメディアコンテンツのみを対象とする。一実施形態では、広告モジュールは日付フィールドを含む。一実施形態では、日付フィールドは、マルチメディアコンテンツの履歴を生成するようにプログラムされている。一実施形態では、マルチメディアコンテンツの履歴は、少なくとも、各マルチメディアコンテンツを投稿した日付を含む。
【００８３】
一実施形態では、各掲示板モジュールは複数のフィルタを含む。一実施形態では、複数のフィルタは、検索データに応じてマルチメディアコンテンツをフィルタリングするようにプログラムされている。ユーザは検索データを入力して、特定の種類の知的コンテンツのみを選択できる。
【００８４】
一実施形態では、各掲示板モジュールはプレビューモジュールを含む。一実施形態では、プレビューモジュールは、対応するそれぞれのクライアントデバイスのスクリーン上に表示可能である。一実施形態では、プレビューモジュールは、マルチメディアコンテンツを部分的にのみロードするようにプログラムされている。一実施形態では、各掲示板モジュールはディスクリプションモジュールを含む。一実施形態では、ディスクリプションモジュールは、対応するそれぞれのクライアントデバイスのスクリーン上に表示可能である。一実施形態では、ディスクリプションモジュールは、マルチメディアコンテンツを完全にロードするようにプログラムされている。
【００８５】
一実施形態では、装置は、各クライアントデバイス用のアラートモジュールを含む。
【００８６】
一実施形態では、各クライアントデバイスは、通知音を発するように構成されたスピーカを含む。一実施形態では、アラートモジュールは、対応するそれぞれのクライアントデバイスのスクリーン上に表示可能である。一実施形態では、アラートモジュールは、アラートデータを収集するように構成される。一実施形態では、アラートモジュールは、アラートデータに応じて通知音をスケジュールするように構成される。一実施形態では、アラートモジュールは、通知音を検索ユーザに送信するように構成される。「通知音」という用語は、同一の検索ユーザが入力したアラートデータに一致する新しい知的コンテンツの存在を検索ユーザに伝える、クライアントデバイス上のローカルまたはリモート通知を意味するために使用される。
【００８７】
一実施形態では、装置は通信モジュールを含む。一実施形態では、通信モジュールは、対応するそれぞれのクライアントデバイスのスクリーン上に表示可能である。一実施形態では、通信モジュールは、検索ユーザまたは広告ユーザのメッセージを収集またはロードするように構成される。
【００８８】
一実施形態では、装置は交渉モジュールを含む。一実施形態では、交渉モジュールは、対応するそれぞれのクライアントデバイスのスクリーン上に表示可能である。一実施形態では、交渉モジュールは、検索ユーザから提案を収集し、広告ユーザが見ることができるように提案をロードするように構成される。
【００８９】
一実施形態では、装置は、コンサルティングモジュールを含む。一実施形態では、コンサルティングモジュールは、対応するそれぞれのクライアントデバイスのスクリーン上に表示可能である。一実施形態では、コンサルティングモジュールは、ユーザからのコンサルティング要求を収集し、ユーザがコンサルティング要求を見ることができるように構成される。
【００９０】
一実施形態では、コンサルティングの要求は、商業的仲介の要求である。一実施形態では、コンサルティングの要求は技術的意見の要求である。一実施形態では、コンサルティングの要求は技術的意見の要求である。
【図面の簡単な説明】
【００９１】
これらおよび他の特徴は、添付図面に非限定的な例として示される、好ましい実施形態の以下の詳細な説明からより明らかになるであろう。
【図１】知的コンテンツを通信するための装置を示す。
【図２】知的コンテンツを通信するための装置の掲示板モジュールを示す。
【図３】図１の装置の実施形態を示す。
【図４】機能的な観点から知的コンテンツを通信するための方法を示す。
【図５】図４の方法の変形実施形態を示す。
【発明を実施するための形態】
【００９２】
添付図面を参照すると、番号１は知的コンテンツを通信するための装置を示す。一実施形態では、装置１はクライアントデバイス２を含む。この実施形態において、通信は、異なる時間に同一のクライアントデバイス２を介してやり取りする２人のユーザ間の通信である。好ましい実施形態では、装置１は少なくとも２つのクライアントデバイスを含む。実際、装置１は、異なるクライアントデバイス上で動作する異なる起源および場所のユーザ間の通信にも使用される。一実施形態では、装置１は複数のクライアントデバイスを含む。以下、装置１が複数のクライアントデバイスを含んでもよいことを明確にした後、単一のクライアントデバイス２を参照して、装置１に含まれるありとあらゆるクライアントデバイス２を表すものとする。実際に、構造的および機能的な観点から、各クライアントデバイス２は、クライアントデバイス２を使用するユーザのタイプに応じて選択可能な同一の機能を提供する。一実施形態では、クライアントデバイス２はスマートフォンである。一実施形態では、クライアントデバイス２はコンピュータである。一実施形態では、クライアントデバイス２はタブレットである。
【００９３】
一実施形態では、クライアントデバイス２は制御ユニット３を備える。一実施形態では、制御ユニット３は、当該技術分野で知られているコンピュータ言語のいずれか１つでコンピュータコード命令を実行するように構成されたプロセッサである。
【００９４】
一実施形態では、クライアントデバイス２は少なくとも１つの入力デバイスを含む。一実施形態では、入力デバイスはキーボード４である。一実施形態では、入力デバイスはマウスである。一実施形態では、入力デバイスはトラックパッドである。一実施形態では、入力デバイスはジョイスティックである。入力デバイスは制御ユニット３に接続され、ユーザが装置１と相互作用できるようにする。
【００９５】
一実施形態では、装置１はモデム５を含む。
【００９６】
モデム５により、クライアントデバイス２は常にインターネットに接続されたままになる。
【００９７】
一実施形態では、装置１はスクリーン６を含む。
【００９８】
一実施形態では、装置１はリモートサーバ７を含む。一実施形態では、リモートサーバ７は、複数のクライアントデバイスからのコンピュータデータを保存し、クライアントデバイス２からの要求に応じてコンピュータデータを送信するように構成される。
【００９９】
一実施形態では、装置１は登録モジュール２０１を含む。一実施形態では、登録モジュール２０１は、グラフィカル部分とコード部分とを含む。一実施形態では、装置１の制御ユニット３は、登録モジュール２０１のコード部分を実行するように構成される。一実施形態では、登録モジュール２０１のグラフィカル部分は、装置１のスクリーン６に表示可能である。一実施形態では、登録モジュール２０１は、装置１を使用したいユーザのデータを収集するように構成される。一実施形態では、登録モジュール２０１は、複数のデジタルラベルを含む。デジタルラベルにより、ユーザは登録モジュール２０１内で自分の道を見つけることができる。一実施形態では、登録モジュール２０１は複数のテキストボックスを含む。これらのテキストボックスにより、ユーザは登録データ１０を入力できる。
【０１００】
一実施形態では、登録データ１０は、以下の情報項目のうちの１つ以上を含む。すなわち、
名前、姓、住所（address）、居住地、本籍（domicile）、電話番号、
身分証明書のコピー、
屋号、VAT番号、
装置１の使用に関連する電子メールアドレス、パスワード、ニックネーム、
クレジットカード番号、クレジットカードの有効期限、クレジットカードの所有者の名前である。
【０１０１】
一実施形態では、登録モジュール２０１は、少なくとも１つの承諾フィールド８を含む。一実施形態では、承諾フィールド８は、履行されている合意のエッセンスが記述されているテキスト部分と、ユーザがテキスト部分に記述されているものにサブスクライブする承諾部分とを含む。一実施形態では、テキスト部分は、装置１の一部を形成する任意のモジュールにその後表示される任意のドキュメントに関する機密保持（非開示）合意の履行に関する。一実施形態では、テキスト部分は、その後、知的コンテンツを装置１にアップロードすることを許可されることになるユーザに留保される権利に関する。一実施形態では、テキスト部分は、登録モジュール２０１にユーザが入力した機密データの使用およびプライバシーに対する権利に関する。
【０１０２】
一実施形態では、登録モジュール２０１は、登録データ１０をリモートサーバ７に送信するように構成される。一実施形態では、登録モジュール２０１は、機密保持（非開示）合意をリモートサーバ７に送信するように構成される。一実施形態では、リモートサーバ７は、機密保持（非開示）合意の攻撃不能性を保証するための複数のコンピュータセキュリティシステムを含む。
【０１０３】
一実施形態では、装置１はアクセスモジュール２０２を含む。一実施形態では、アクセスモジュール２０２は、グラフィカル部分とコード部分とを含む。一実施形態では、装置１の制御ユニット３は、アクセスモジュール２０２のコード部分を実行するように構成される。一実施形態では、アクセスモジュール２０２のグラフィカル部分は、装置１のスクリーン６上に表示可能である。一実施形態では、アクセスモジュール２０２は、ユーザによるアクセスごとにアクセスデータを収集するように構成される。一実施形態では、アクセスモジュール２０２は複数のテキストボックスを含む。これらのテキストボックスにより、ユーザはアクセスデータを入力できる。アクセスデータは、少なくとも部分的に登録データ１０と同一である。より具体的には、アクセスデータは、次の項目の１つ以上であってもよい。すなわち、
電子メールアドレス、
パスワード、
ニックネームである。
【０１０４】
アクセスモジュール２０２の機能は、アクセスデータを収集して制御ユニット３に送信することであり、制御ユニット３は、アクセス要求を行っているユーザを認証するために必要なすべてのチェックを実行してもよい。
【０１０５】
一実施形態では、装置１は広告モジュール２０３を含む。一実施形態では、広告モジュール２０３は、グラフィカル部分とコード部分とを含む。一実施形態では、装置１の制御ユニット３は、広告モジュール２０３のコード部分を実行するように構成される。一実施形態では、広告モジュール２０３のグラフィカル部分は、装置１のスクリーン６上に表示可能である。一実施形態では、広告モジュール２０３は複数のテキストボックスを含む。一実施形態では、広告モジュール２０３は複数の画像ボックスまたはビデオボックスを含む。複数のテキストボックスおよび画像またはビデオボックスにより、広告ユーザは、マルチメディアコンテンツ１１を投稿することにより、知的コンテンツを完全かつ明確に説明することができる。
【０１０６】
一実施形態では、マルチメディアコンテンツ１１は、以下のコンテンツのうちの１つ以上を含んでもよい。すなわち、
知的コンテンツのタイトル、
知的コンテンツのディスクリプション、
プロトタイプの写真、
プロトタイプまたは方法のビデオ、
協力者（存在する場合）、
知的コンテンツをいつどのように使用するかについての提案（ある場合）である。
【０１０７】
マルチメディアコンテンツ１１とは、制御ユニット３によって適切に変換されたときに、例えば、写真、ビデオ、オーディオ、またはテキストファイルであるが、これらに限定されるものではない特定の知的コンテンツの性質に関する情報を検索ユーザまたは広告ユーザに送信できるコンピュータデータのセットを意味する。広告ユーザとは、装置１を使用して知的コンテンツを共有するユーザを意味する。検索ユーザとは、装置１を使用して関心のある知的コンテンツを探すユーザを意味する。一実施形態では、広告モジュール２０３は、投稿日を入力するように構成された日付フィールド９を含む。一実施形態では、広告モジュール２０３は、特定の知的コンテンツに関連付けられた履歴１１’を投稿日に応じて生成するように構成される。一実施形態では、装置１は、特定の知的コンテンツのマルチメディアコンテンツ１１を変更するように構成される変更モジュールなどの他のモジュールにも日付フィールド９を含む。変更モジュールは図に示されておらず、また一例であり、これに限定されるものではない。そのような場合、日付フィールド９は、変更日付を入力するように構成され、これにより、履歴１１’を更新することが可能になる。
【０１０８】
一実施形態では、広告モジュール２０３は、リモートサーバ７にマルチメディアコンテンツ１１およびそれに関連付けられた履歴１１’を送信するように構成される。一実施形態では、リモートサーバ７の複数のコンピュータセキュリティシステムは、マルチメディアコンテンツ１１およびそれに関連する履歴１１’のセキュリティおよび攻撃不能性を保証する。
【０１０９】
一実施形態では、装置１は掲示板モジュール２０４を含む。一実施形態では、掲示板モジュール２０４は、グラフィカル部分とコード部分とを含む。一実施形態では、装置１の制御ユニット３は、掲示板モジュール２０４のコード部分を実行するように構成される。一実施形態では、掲示板モジュール２０４のグラフィカル部分は、装置１のスクリーン６上に表示可能である。
【０１１０】
一実施形態では、掲示板モジュール２０４は、マルチメディアコンテンツ１１をロードし、装置１のスクリーン６上に検索ユーザによってそれらを表示可能にさせるように構成される。一実施形態では、掲示板モジュール２０４は、装置１のアクセスモジュール２０２での認証プロセス１０５が完了するまで表示可能ではない。
【０１１１】
一実施形態では、掲示板モジュール２０４はプレビューモジュール２０４Ａを含む。一実施形態では、プレビューモジュール２０４Ａは、特定の知的コンテンツに関連するマルチメディアコンテンツ１１を部分的にのみ表示可能にさせるように構成される。一実施形態では、プレビューモジュール２０４Ａは、装置１のアクセスモジュール２０２での認証プロセス１０５を完了することなく表示可能である。実際、そのような場合、プレビューモジュール２０４Ａに含まれる情報は、知的コンテンツを再現するのに十分ではない。一実施形態では、プレビューモジュール２０４Ａは、装置１のアクセスモジュール２０２での認証プロセス１０５を完了した後にのみ表示可能である。一実施形態では、プレビューモジュール２０４Ａは、知的コンテンツのタイトル、知的コンテンツが扱う技術分野、およびそれを表す重要な写真を含む。一実施形態では、掲示板モジュール２０４は、ディスクリプションモジュール２０４Ｂを含む。
【０１１２】
一実施形態では、ディスクリプションモジュール２０４Ｂは、特定の知的コンテンツに関連するマルチメディアコンテンツ１１を完全に表示可能にさせるように構成される。一実施形態において、ディスクリプションモジュール２０４Ｂは、装置１のアクセスモジュール２０２での認証プロセス１０５を完了した後にのみ表示可能である。実際、そのような場合、ディスクリプションモジュール２０４Ｂに含まれる情報は、知的コンテンツを再現するのに十分であり、検索ユーザにとって機密保持（非開示）合意に加入していることは必須である。
【０１１３】
一実施形態では、掲示板モジュール２０４は複数のフィルタ２０４Ｃを含む。一実施形態では、複数のフィルタ２０４Ｃは、検索ユーザが関心のある知的コンテンツの検索を高速化できるように構成される。一実施形態では、複数のフィルタ２０４Ｃは、以下の特徴のうちの１つ以上に設定することができる。すなわち、
技術分野、
地理的位置、
技術分野内の特定のアプリケーションである。
【０１１４】
掲示板モジュール２０４のフィルタ２０４Ｃを使用して設定された特徴は、検索データ１２を規定する。一実施形態では、制御ユニット３は、検索データ１２に応じてプレビューモジュールにロードされたマルチメディアコンテンツ１１を更新するように構成される。一実施形態では、リモートサーバ７は、検索データ１２に一致するマルチメディアコンテンツ１１のみを送信するように構成される。
【０１１５】
一実施形態では、装置１はアラートモジュール２０８を含む。一実施形態では、アラートモジュール２０８は、グラフィカル部分とコード部分とを含む。一実施形態では、装置１の制御ユニット３は、アラートモジュール２０８のコード部分を実行するように構成される。一実施形態では、アラートモジュール２０８のグラフィカル部分は、装置１のスクリーン６に表示可能である。一実施形態では、アラートモジュール２０８は、アラートデータ１３を収集するように構成される。アラートデータ１３は、検索ユーザが入力することができ且つ好ましい知的コンテンツに関する選好を表すデータである。一実施形態では、検索データ１２は、装置１によって自動的にアラートデータ１３として使用されてもよい。
【０１１６】
一実施形態では、リモートサーバ７は、アラートデータ１３を受信して保存するように構成される。一実施形態では、リモートサーバ７は、制御ユニット３からの要求に応じてアラートデータ１３を送信するように構成される。
【０１１７】
一実施形態では、装置１はスピーカ１７を備える。
【０１１８】
一実施形態では、アラートモジュール２０８は、アラートデータ１３に応じて通知音をスケジュールするように構成される。
【０１１９】
一実施形態では、制御ユニット３は、通知音スケジュールをスピーカ１７に送信するように構成される。スピーカ１７は、受信した通知音スケジュールに応じて検索ユーザにアラートするように構成される。
【０１２０】
一実施形態では、装置１は通信モジュール２０７を含む。一実施形態では、通信モジュール２０７は、グラフィカル部分とコード部分とを含む。一実施形態では、装置１の制御ユニット３は、通信モジュール２０７のコード部分を実行するように構成される。一実施形態では、通信モジュール２０７のグラフィカル部分は、装置１のスクリーン６に表示可能である。
【０１２１】
一実施形態では、通信モジュール２０７は表示スクリーン２０７Ａを含む。一実施形態では、通信モジュール２０７は送信ボックス２０７Ｂを含む。
【０１２２】
一実施形態では、通信モジュール２０７は、メッセージ１４を収集するように構成される。一実施形態では、通信モジュール２０７は、メッセージ１４をリモートサーバ７に送信するように構成される。一実施形態では、リモートサーバ７は、メッセージ１４を保存するように構成される。一実施形態では、リモートサーバ７は、制御ユニット３からの特定の要求に応答して、メッセージ１４をクライアントデバイス２に送信するように構成される。一実施形態では、表示スクリーン２０７Ａは、リモートサーバ７に既に保存されているメッセージ１４を表示するように構成される。一実施形態では、送信ボックス２０７Ｂは、キーボード４を介してユーザのメッセージを受信するように構成される。一実施形態では、制御ユニット３は、登録モジュール２０１で承諾された規則に応じてメッセージ１４の内容を自動的にフィルタリングするように構成された、図示されていないモデレータモジュールを含む。
【０１２３】
一実施形態では、装置１はコンサルティングモジュール２０６を含む。一実施形態では、コンサルティングモジュール２０６は、グラフィカル部分とコード部分とを含む。一実施形態では、装置１の制御ユニット３は、コンサルティングモジュール２０６のコード部分を実行するように構成される。一実施形態では、コンサルティングモジュール２０６のグラフィカル部分は、装置１のスクリーン６に表示可能である。
【０１２４】
一実施形態では、コンサルティングモジュール２０６は、カバーページ２０６Ａを含む。一実施形態では、通信モジュール２０７はコメンタリ２０６Ｂを含む。
【０１２５】
一実施形態では、通信モジュール２０７は、コンサルティングの要求１５を収集するように構成される。一実施形態では、通信モジュール２０７は、コンサルティングの要求１５をリモートサーバ７に送信するように構成される。一実施形態では、通信モジュール２０７は、コンサルティングユーザの意見をリモートサーバ７に送信するように構成される。一実施形態では、リモートサーバ７は、コンサルティング要求１５および意見を保存するように構成される。一実施形態では、リモートサーバ７は、制御ユニット３からの特定の要求に応じて、コンサルティング要求１５および意見をクライアントデバイス２に送信するように構成される。一実施形態では、カバーページ２０６Ａは、リモートサーバ７に既に保存されている特定のコンサルティングの要求を示すように構成される。一実施形態では、コメンタリ２０６Ｂは、コンサルティングユーザがカバーページ２０６Ａに表示可能なコンサルティングの要求に関する意見を入力できるように、構成される。一実施形態では、コメンタリ２０６Ｂは、ユーザがカバーページ２０６Ａ上に表示可能なコンサルティングの要求に関する全ての意見を表示できるように、構成される。一実施形態では、制御ユニット３のモデレータモジュールは、登録モジュール２０１で承諾された規則に応じて、コンサルティング要求１５および意見の内容を自動的にフィルタリングするように構成される。
【０１２６】
一実施形態では、装置１は交渉モジュール２０５を含む。一実施形態では、交渉モジュール２０５は、グラフィカル部分とコード部分とを含む。一実施形態では、装置１の制御ユニット３は、交渉モジュール２０５のコード部分を実行するように構成される。一実施形態では、交渉モジュール２０５のグラフィカル部分は、装置１のスクリーン６上に表示可能である。
【０１２７】
一実施形態では、交渉モジュール２０５は、交渉提案１６を収集するように構成される。一実施形態では、交渉モジュール２０５は、交渉提案１６をリモートサーバ７に送信するように構成される。
【０１２８】
一実施形態では、リモートサーバ７は、交渉提案１６を保存するように構成される。一実施形態では、リモートサーバ７は、制御ユニット３からの特定の要求に応じて、交渉提案１６をクライアントデバイス２に送信するように構成される。一実施形態では、交渉モジュール２０５は、リモートサーバ７に既に保存されているメッセージ１４を示すように構成される。一実施形態では、交渉モジュール２０５は、キーボード４を介してユーザの交渉提案１６を受信するように構成される。一実施形態では、制御ユニット３のモデレータモジュールは、登録モジュール２０１で承諾された規則に応じて交渉提案１６の内容を自動的にフィルタリングするように構成される。
【０１２９】
本開示は、知的コンテンツを通信するための装置１を使用して知的コンテンツを通信するための方法も提供する。
【０１３０】
一実施形態では、この方法は、リモートサーバ７と、スクリーン６、入力デバイスおよび制御ユニット３を含むクライアントデバイス２とを準備するステップを含む。
【０１３１】
一実施形態では、この方法は、登録モジュール１０２を実行するステップを含む。このステップは、登録モジュール２０１のコード部分を実行することを含む。登録モジュール２０１のコード部分を実行するステップは、クライアントデバイス２のスクリーン６に表示されるグラフィカル部分を生成することを含む。
【０１３２】
一実施形態では、登録モジュール１０２を実行するステップは、登録データ１０２Ａを収集するステップを含む。このステップ中に、制御ユニット３は、入力デバイスから入力を受信し、当該入力を登録データ１０に関連付ける。
【０１３３】
一実施形態では、登録データ１０２Ａを収集するステップは、機密性１０２Ｂを収集するステップを含む。
【０１３４】
一実施形態では、機密性１０２Ｂを収集するステップ中に、制御ユニット３は、ユーザの機密保持（非開示）合意を強制的に収集する。一実施形態では、機密保持（非開示）合意は、装置１のリモートサーバ７に保存されている全てのコンテンツに拡張される。一実施形態では、機密保持（非開示）合意は、装置１のリモートサーバ７に保存され且つユーザが見ることができるコンテンツにのみ拡張される。機密性１０２Ｂを収集するステップ中に、制御ユニット３は、登録モジュール２０１に、履行されている合意のエッセンスが記述されているテキスト部分と、ユーザがテキスト部分に記述されているものにサブスクライブする承諾部分とを含む承諾フィールド８を表示する。テキスト部分は、装置１の一部を形成する任意のモジュールにその後表示される任意のドキュメントに関する機密保持（非開示）合意の性質と制限を明確に説明する。
【０１３５】
登録モジュール１０２を実行するステップは、機密性１０２Ｂを収集するステップが肯定的に終了した場合にのみ終了する。そうでない場合、制御ユニット３は自動エラー通知を生成する。
【０１３６】
承諾フィールド８にサブスクライブする場合、この方法は、登録データ１０２Ｃをリモートサーバ７に送信するステップを含む。
【０１３７】
一実施形態では、この方法は、登録データ１０６Ａをリモートサーバ７に保存して、登録データ１０が参照するユーザ専用のメモリ空間を作成するステップを含む。
【０１３８】
一実施形態では、この方法は、アクセスモジュール１０１を実行するステップを含む。一実施形態では、アラートモジュール１０１を実行するステップは、アクセスデータを収集するステップを含む。アクセスデータは、アクセスモジュール２０２上の特定のテキストボックスに入力される。
【０１３９】
一実施形態では、この方法は、認証するステップ１０５を含む。
【０１４０】
認証するステップ１０５は、アクセスデータと登録データ１０との間の一致をチェックすることにある。より具体的には、一方で、制御ユニット３は、全ての登録ユーザの全ての登録データ１０のセットを含む要求をリモートサーバ７に送信し、他方で、制御ユニット３は、アクセスモジュール２０２からのアクセスデータを受信する。制御ユニット３が全ての登録データ１０のセット内のアクセスデータの一致を検証する場合、認証ステップ１０５は肯定的に終了し、ユーザは装置１の使用に進むことができる。一方、アクセスデータが登録データ１０のいずれの値とも一致しない場合、制御ユニット３は自動的にエラー通知を生成し、装置１の使用を防止する。一実施形態では、エラー通知は、登録モジュール２０１上で登録データ１０２Ａを収集するステップに進むように登録モジュール２０１にユーザを導く。
【０１４１】
一実施形態では、この方法は、広告モジュール１０４を実行するステップを含む。
【０１４２】
一実施形態では、広告モジュール１０４を実行するステップは、マルチメディアコンテンツ１０４Ａを収集するステップを含む。マルチメディアコンテンツ１１は、特定のテキストボックス、画像ボックスまたはオーディオボックスにユーザによって入力される。この文脈で使用される「ボックス」という用語は、マルチメディアコンテンツ１１に変換可能な特定の数の情報ビットを割り当てるためのグラフィカル空間およびメモリ空間を示す。
【０１４３】
一実施形態では、広告モジュール１０４を実行するステップは、マルチメディアコンテンツ１０４Ｂをチェックするステップを含む。一実施形態では、このチェックは、収集中のマルチメディアコンテンツが既に存在しないことを保証するために、リモートサーバ７に既に保存されている全てに対してマルチメディアコンテンツ１１を検証することにより制御ユニット３によって実行される。
【０１４４】
一実施形態では、このチェックは、収集中のマルチメディアコンテンツの合法性を検証する。
【０１４５】
一実施形態では、広告モジュール１０４を実行するステップは、マルチメディアコンテンツ１０４Ｃをリモートサーバ７に送信するステップを含む。マルチメディアコンテンツ１１を送信するステップは、マルチメディアコンテンツ１０４Ｂをチェックするステップが肯定的な結果を有する場合にのみ実行される。
【０１４６】
一実施形態では、広告モジュール１０４を実行するステップは、マルチメディアコンテンツの履歴１０４Ｄを生成するステップを含む。マルチメディアコンテンツの履歴１０４Ｄを生成するステップは、広告モジュール２０３に存在する日付フィールド９によって実行され、広告モジュール２０３は、マルチメディアコンテンツを投稿日と一意に関連付けることができる。一実施形態では、この方法は、履歴１１’を変更するステップを含む。このステップは、例えば、広告ユーザがマルチメディアコンテンツの変更を決定したときに実行される。そのような場合、クライアントデバイス２の制御ユニット３は、投稿日を変更日に変更する。
【０１４７】
一実施形態では、この方法は、マルチメディアコンテンツ１０６Ｂをリモートサーバ７に保存するステップを含む。このステップは、各マルチメディアコンテンツに関連付けられた履歴１１’をリモートサーバ７に保存することも含む。
【０１４８】
一実施形態では、この方法は、掲示板モジュール１０３を実行するステップを含む。
【０１４９】
一実施形態では、この方法は、マルチメディアコンテンツ１０６Ｃをリモートサーバ７から掲示板モジュール２０４に送信するステップを含む。
【０１５０】
一実施形態では、掲示板モジュール１０３を実行するステップは、プレビューモジュール１０３Ｃを実行するステップを含む。このステップでは、リモートサーバ７からのマルチメディアコンテンツ１１は、プレビューモジュール２０４Ａに部分的にのみロードされる。
【０１５１】
一実施形態では、掲示板モジュール１０３を実行するステップは、マルチメディアコンテンツ１０３Ｂをロードするステップを含む。このステップでは、検索ユーザがそれらを明確に理解でき、且つ、必要に応じて、それらが伝える知的コンテンツを再現できる程度まで、マルチメディアコンテンツ１１が完全にロードされる。一実施形態では、掲示板モジュール２０４は、ユーザの認証１０５を検証し、それをプレビューモジュール２０４Ａに送るか、マルチメディアコンテンツ１０３Ｂをロードするステップが実行されるディスクリプションモジュール２０４Ｂに送るかを自動的に決定する。
【０１５２】
一実施形態では、掲示板モジュール１０３を実行するステップは、マルチメディアコンテンツ１１をフィルタリング１０３Ｂするステップを含む。このステップの間、制御ユニット３は、フィルタ２０４Ｃが割り当てられた掲示板モジュール２０４から検索データ１２を受信する。
【０１５３】
一実施形態では、制御ユニット３は、掲示板モジュール２０４から検索データ１２を受信し、サーバから全てのマルチメディアコンテンツ１１を受信する。次に、検索データ１２を処理し、フィルタリングアルゴリズム１０３Ａに従って、制御ユニット３は、検索データ１２に一致するマルチメディアコンテンツ１１のみを掲示板モジュール２０４に送信する。
【０１５４】
一実施形態では、掲示板モジュール２０４は、検索データ１２を制御ユニット３に送信し、制御ユニット３は、検索データ１２に応じて、リモートサーバ７に送信される特定の要求を処理する。特定の要求により、検索データ１２に一致するマルチメディアコンテンツ１１のみをリモートサーバ７から受信できる。
【０１５５】
一実施形態では、この方法は、コンサルティングモジュール１０７を実行するステップを含む。一実施形態では、コンサルティングモジュール１０７を実行するステップは、コンサルティングの要求１０７Ａを収集するステップを含む。一実施形態では、コンサルティングの要求１０７Ａを収集するステップ中に、コンサルティングモジュール２０６は、コンサルティングの要求１５を収集し且つそれらをリモートサーバ７に保存する。
【０１５６】
一実施形態では、コンサルティングに対する要求１０７Ａを収集するステップ中に、コンサルティングモジュール２０６は、コンサルティング要求に関連するコンサルティングユーザの意見を収集し、それらをリモートサーバ７に保存する。
【０１５７】
一実施形態では、この方法は、コンサルティング要求１０７Ｃをリモートサーバ７に保存するステップを含む。
【０１５８】
一実施形態では、コンサルティング要求１０７Ｃを保存するステップ中に、リモートサーバ７はコンサルティングユーザの意見を保存する。一実施形態では、コンサルティング要求１０７Ｃを保存するステップ中に、リモートサーバ７は、コンサルティングを必要とするユーザのコンサルティング要求１５を保存する。一実施形態では、リモートサーバ７は、制御ユニット３からの要求に応じて、意見およびコンサルティング要求１５をコンサルティングモジュール２０６に送信する。
【０１５９】
一実施形態では、コンサルティングモジュール１０７を実行するステップは、コンサルティング要求１０７Ｂをロードするステップを含む。
【０１６０】
一実施形態では、コンサルティング要求１０７Ｂをロードするステップ中に、コンサルティングモジュール２０６は、コンサルティング要求１５をロードし、クライアントデバイス２のスクリーン６に表示する。
【０１６１】
一実施形態では、コンサルティングの要求１０７Ｂをロードするステップ中に、コンサルティングモジュール２０６は、コンサルティングの要求に関連する意見をロードし、クライアントデバイス２のスクリーン６に表示する。
【０１６２】
一実施形態では、コンサルティングの要求１０７Ｂをロードするステップ中に、コンサルティングモジュール２０６は、コンサルティングの要求とそれに関連する意見をロードする。
【０１６３】
一実施形態では、この方法は、通信モジュール１０８を実行するステップを含む。一実施形態では、通信モジュール１０８を実行するステップは、メッセージ１０８Ａを収集するステップを含む。一実施形態では、メッセージ１０８Ａを収集するステップ中に、通信モジュール２０７はメッセージ１４を収集し、それらをリモートサーバ７に保存する。
【０１６４】
一実施形態では、この方法は、メッセージ１０８Ｃをリモートサーバ７に保存するステップを含む。
【０１６５】
一実施形態では、コンサルティング要求１０８Ｃを保存するステップ中に、リモートサーバ７はユーザのメッセージ１４を保存する。一実施形態では、リモートサーバ７は、制御ユニット３からの要求に応じて、メッセージ１４を通信モジュール２０７に送信する。
【０１６６】
一実施形態では、通信モジュール１０８を実行するステップは、メッセージ１０８Ｂをロードするステップを含む。
【０１６７】
一実施形態では、メッセージ１０８Ｂをロードするステップ中に、通信モジュール２０７はメッセージ１４をロードし、それらをクライアントデバイス２のスクリーン６に表示する。
【０１６８】
一実施形態では、この方法は、交渉モジュール１０９を実行するステップを含む。一実施形態では、交渉モジュール１０９を実行するステップは、交渉提案１０９Ａを収集するステップを含む。一実施形態では、交渉提案１０９Ａを収集するステップ中に、交渉モジュール２０５は交渉提案１６を収集し、それらをリモートサーバ７に保存する。
【０１６９】
一実施形態では、この方法は、交渉提案１０９Ｃをリモートサーバ７に保存するステップを含む。
【０１７０】
一実施形態では、交渉提案１０９Ｃを保存するステップ中に、リモートサーバ７は、ユーザの交渉提案１６を保存する。一実施形態では、リモートサーバ７は、制御ユニット３からの要求に応じて交渉提案１６を交渉モジュール２０５に送信する。
【０１７１】
一実施形態では、交渉モジュール１０９を実行するステップは、交渉提案１０９Ｂをロードするステップを含む。
【０１７２】
一実施形態では、交渉提案１０９Ｂをロードするステップ中に、交渉モジュール２０５は交渉提案１６をロードし、クライアントデバイス２のスクリーン６に表示する。
【０１７３】
一実施形態では、この方法は、アラートモジュール１１０を実行するステップを含む。
【０１７４】
一実施形態では、アラートモジュール１１０を実行するステップは、アラートデータ１１０Ａを収集するステップを含む。一実施形態では、アラートデータ１３は、アラートモジュール２０８によって制御ユニット３に送信される。一実施形態では、アラートデータ１３は、アラートモジュール２０８によってリモートサーバ７に送信される。
【０１７５】
一実施形態では、この方法は、アラートデータ１１０Ｄをリモートサーバ７に保存するステップを含む。
【０１７６】
一実施形態では、アラートモジュール１１０を実行するステップは、通知をスケジュールするステップを含む。一実施形態では、アラートモジュール１１０を実行するステップは、通知音１１０Ｃをスケジューリングするステップを含む。
【０１７７】
一実施形態では、制御ユニット３は、アラートモジュール２０８からアラートデータ１３を受信し、それらを処理し、通知をスケジュールして通知スケジュールを生成する。一実施形態では、制御ユニット３は、通知音１１０Ｃをスケジューリングするステップを実行する。一実施形態では、制御ユニット３は、通知振動をスケジューリングするステップを実行する。
【０１７８】
一実施形態では、制御ユニット３は、リモートサーバ７に保存されたアラートデータ１３を受信するために、リモートサーバ７に要求を送信する。リモートサーバ７からアラートデータ１３を受信した後、制御ユニット３は通知のスケジューリングに進む。
【０１７９】
一実施形態では、この方法は、クライアントデバイス２のスピーカ１７を介して通知音を発するステップを含む。
【０１８０】
一実施形態では、アラートモジュール１１０を実行するステップは、通知音１１０Ｂを送信するステップを含む。アラートデータ１３に応じて通知をスケジューリングした後、制御ユニット３は通知音スケジュールをスピーカ１７に送信する。通知音スケジュールに応じて、スピーカ１７は通知音を発して、アラートモジュール２０８における自身の設定に従って、潜在的に関心のある新しい知的コンテンツの存在を検索ユーザにアラートする。
【図１】
2020530636.tif 000003
【図２】
2020530636.tif 000004
【図３】
2020530636.tif 000005
【図４】
2020530636.tif 000006
【図５】
2020530636.tif 000007
【国際調査報告】
2020530636.tif 000008
2020530636.tif 000009